(57)【要約】【課題】ディスク状記録媒体の記録面側を記録面が接触しないように覆う保護カバーであって、ディスク状記録媒体の着脱などに際して簡便に取扱可能とする。【解決手段】ディスク状記録媒体１の記録面を覆って該ディスク状記録媒体の記録面を保護する樹脂製の保護カバーであって、当該保護カバー２の直径は前記ディスク状記録媒体１の直径より小さくされると共に、当該保護カバー２の外周部１１は前記ディスク状記録媒体１の前記記録面における記録領域外周側のマージン部分に当接し、前記ディスク状記録媒体１の前記記録面における記録領域内周側のマージン部分に当接する内周当接部１２と前記外周部１１の間の領域で当該保護カバーのカバー本体１０は前記ディスク状記録媒体１の前記記録面から離間されることを特徴とする。【選択図】図１
2011018448.tif 000002
【特許請求の範囲】
【請求項１】
ディスク状記録媒体の記録面を覆って該ディスク状記録媒体の記録面を保護する樹脂製の保護カバーであって、
当該保護カバーの直径は前記ディスク状記録媒体の直径より小さくされると共に、当該保護カバーの外周部は前記ディスク状記録媒体の前記記録面における記録領域外周側のマージン部分に当接し、前記ディスク状記録媒体の前記記録面における記録領域内周側のマージン部分に当接する内周当接部と前記外周部の間の領域で当該保護カバーのカバー本体は前記ディスク状記録媒体の前記記録面から離間されることを特徴とするディスク状記録媒体の保護カバー。
【請求項２】
前記ディスク状記録媒体の中心孔に内側から嵌合する環状突設部を有し、前記環状突設部の中心に突起部を有してなることを特徴とする請求項１記載のディスク状記録媒体の保護カバー。
【請求項３】
前記環状突設部に対応した当該保護カバーの裏面側の領域には、他の保護カバーを積層した場合に該他の保護カバーの前記環状突設部の端部を収納する凹部が形成されることを特徴とする請求項２記載のディスク状記録媒体の保護カバー。
【請求項４】
前記凹部には積み重ね時の横ずれ防止のための傾斜面が形成されることを特徴とする請求項３記載のディスク状記録媒体の保護カバー。
【請求項５】
前記環状突設部の一部には切欠き部が設けられ、前記ディスク状記録媒体の中心孔を外側に向かって押圧するように前記中心孔の端部に係合する爪部が前記切欠き部に配設されることを特徴とする請求項２記載のディスク状記録媒体の保護カバー。
【請求項６】
前記外周部は外側に行くほど前記カバー本体から立ち上がって肉厚が薄くされる形状とされ、当該保護カバーを前記ディスク状記録媒体に装着した際には、前記外周部の端部が当該保護カバーの弾性変形による反発力で前記ディスク状記録媒体に押し付けられることを特徴とする請求項１記載のディスク状記録媒体の保護カバー。
【発明の詳細な説明】
【技術分野】
【０００１】
本発明はＣＤ（コンパクトディスク）やＤＶＤなどのディスク状記録媒体の記録部分を保護するためのディスク状記録媒体の保護カバーに関し、特にディスクの一方の面だけを保護するようなディスク状記録媒体の保護カバーに関する。
【背景技術】
【０００２】
音楽データ等を記録したＣＤや、映像やゲームなどの種々の情報を記録したＤＶＤなどのディスク状記録媒体は、データの記録面を傷つけた場合には再生ができない場合があり、そのデータの記録面を保護するため、従来ではプラスチックの本体と開閉自在な蓋を有したケースや、紙ケースやフィルムケースなどを携帯や保管用に使用することが一般的に行われている。
【０００３】
また、ディスク状記録媒体の記録面若しくは読取面とされているのは、記録媒体の一方の主面であり、一般的には印刷などが施された面の裏側がデータの記録面となっている。このようなディスク状記録媒体の保護カバーとして、幾つかのカバーが記録媒体の一方の主面だけを覆う構造となっており、可とう性素材から基盤をディスク状記録媒体より径大に形成する例（例えば、特許文献１参照。）や、ディスク状の読み取り面を保護する基盤の一部にディスク状記録媒体では欠落した印刷部分を補完する印刷を施した例（例えば、特許文献２参照。）、更に、円板状の本体の外周部に保持爪を設けてディスク状記録媒体の保護カバーとする例（例えば、特許文献３参照。）などが知られている。
【先行技術文献】
【特許文献】
【０００４】
【特許文献１】特開２００２−２６４９８５号公報
【特許文献２】特開２００２−３３４５５４号公報
【特許文献３】特開２００５−９６８１３号公報
【発明の概要】
【発明が解決しようとする課題】
【０００５】
ところが、上述の如きディスク状記録媒体の保護カバーでは、ディスク状記録媒体を保護カバーに装着している状態から、ディスク状記録媒体だけを外すことが容易ではない場合がある。すなわち、このようなディスク状記録媒体の記録面側だけを覆う保護カバーを用いることで、ディスク状記録媒体の印刷面を利用した保管などを行うことができ、従来のプラスチックの本体と開閉自在な蓋を有したケースを用いて保管する場合に比べて省スペース化を実現することも可能である。しかしながら、前述の各特許文献に記載される技術では、ディスク状記録媒体を保護カバーから外す場合には、ディスク状記録媒体を保持しながら保護カバーを構成する基盤などの部材を操作する必要が生じたり、あるいはディスク状記録媒体の中心孔や外周部に臨んでいる爪部材などを操作する必要があり、爪部材を操作しながらディスク状記録媒体を保護カバーから取り外す必要が生じ、短い時間で保護カバーを外そうとした場合には手間取ることになる。
【０００６】
そこで、本発明は、上述の技術的な課題に鑑み、ディスク状記録媒体の記録面側を記録面が接触しないように覆う保護カバーであって、ディスク状記録媒体の着脱などに際して簡便に取扱可能とするような保護カバーを提供することを目的とする。
【課題を解決するための手段】
【０００７】
上述の技術的な課題を解決するため、本発明のディスク状記録媒体の保護カバーは、ディスク状記録媒体の記録面を覆って該ディスク状記録媒体の記録面を保護する樹脂製の保護カバーであって、当該保護カバーの直径は前記ディスク状記録媒体の直径より小さくされると共に、当該保護カバーの外周部は前記ディスク状記録媒体の前記記録面における記録領域外周側のマージン部分に当接し、前記ディスク状記録媒体の前記記録面における記録領域内周側のマージン部分に当接する内周当接部と前記外周部の間の領域で当該保護カバーのカバー本体は前記ディスク状記録媒体の前記記録面から離間されることを特徴とする。
【０００８】
本発明の好適な実施形態によれば、ディスク状記録媒体の中心孔に内側から嵌合する環状突設部を有し、その環状突設部の中心に突起部を有して保護カバーを構成することができ、環状突設部に対応した当該保護カバーの裏面側の領域には、他の保護カバーを積層した場合に該他の保護カバーの環状突設部の端部を収納する凹部を形成することもできる。また、他の保護カバーの環状突設部の端部を収納する凹部には積み重ね時の横ずれ防止のための傾斜面を形成しても良い。
【０００９】
さらに本発明のディスク状記録媒体の保護カバーは、前記環状突設部の一部には切欠き部が設けられ、前記ディスク状記録媒体の中心孔を外側に向かって押圧するように前記中心孔の端部に係合する爪部が前記切欠き部に配設される構造を有していても良い。また、外周部の形状として、外側に行くほど前記カバー本体から立ち上がって肉厚が薄くされる形状とされ、当該保護カバーを前記ディスク状記録媒体に装着した際には、前記外周部の端部が当該保護カバーの弾性変形による反発力で前記ディスク状記録媒体に押し付けられる構造とすることもできる。
【発明の効果】
【００１０】
本発明のディスク状記録媒体の保護カバーによれば、保護カバーの直径は前記ディスク状記録媒体の直径より小さくされることから、片手で保護カバーを装着したディスク状記録媒体を把持した場合にはディスク状記録媒体の外周部分に指が当接して、保護カバーには直接指が当たらない状態でディスク状記録媒体を把持することになる。従って、親指と薬指、小指などでディスク状記録媒体の外周部を把持したまま、人差し指で保護カバーの中心に形成された突起部を押すことで、保護カバーとディスク状記録媒体の分離が片手で可能であり、ディスク状記録媒体の着脱などに際して取扱が簡便となる。
【図面の簡単な説明】
【００１１】
【図１】本発明のディスク状記録媒体の保護カバーの一実施形態を示す斜視図であって、ディスク状記録媒体と保護カバーが分離した状態の図である。
【図２】本発明のディスク状記録媒体の保護カバーの一実施形態を示す斜視図であって、ディスク状記録媒体に保護カバーが装着されて把持されている状態の図である。
【図３】本発明のディスク状記録媒体の保護カバーの一実施形態を示す上面図である。
【図４】本発明のディスク状記録媒体の保護カバーの一実施形態を示す側面図である。
【図５】本発明のディスク状記録媒体の保護カバーの一実施形態を示す部分断面図であり、ディスク状記録媒体と共に示す図である。
【図６】本発明のディスク状記録媒体の保護カバーの一実施形態を示す部分断面図であり、断面自体をハッチングで示す。
【図７】本発明のディスク状記録媒体の保護カバーの一実施形態の爪部の斜視図である。
【図８】本発明のディスク状記録媒体の保護カバーの一実施形態の爪部の上面図である。
【図９】本発明のディスク状記録媒体の保護カバーの一実施形態を積層した状態を示す斜視図である。
【発明を実施するための形態】
【００１２】
本発明の好適な実施形態であるディスク状記録媒体の保護カバーについて図面を参照しながら説明する。
【００１３】
図１乃至図４に示すように、本実施形態のディスク状記録媒体の保護カバー２は、ディスク状記録媒体としてＣＤやＤＶＤなどの直径１２０ｍｍのディスク１の記録面の保護に使用される例を示している。ディスク状記録媒体としては、種々のサイズのものが有り、本発明のディスク状記録媒体の保護カバー２は、そのディスク状記録媒体のサイズに応じた寸法により円板状に構成される。従って、小さいサイズのディスクに対しては保護カバー自体も小さなサイズに構成される。本実施形態では、保護カバー２の直径は、ディスク１に対応して、やや小さいサイズとされ、たとえば直径１１８ｍｍに設定される。従って、ディスク１の中心と保護カバー２の中心を合わせてディスク１に保護カバー２を装着させた際には図２に示すように全周囲で１ｍｍ幅ほど保護カバー２の外側にディスク１がはみ出るように装着されることになる。
【００１４】
ディスク１は、一方の面が記録面とされ、中心には径１５ｍｍの孔４が設けられている。また、ディスク１の記録面の反対側の主面には印刷面３が形成されている。ディスク１の記録面における記録領域は最大でも内径５０ｍｍから外径１１６ｍｍまでの範囲に形成されていることから、ディスク１の孔４の外側の径方向１７．５ｍｍの幅の領域は余白領域である内周マージン部分であり、同様にディスク１の最外周部５から径方向２ｍｍの幅の領域は余白領域である外周マージン部分とされる。従って、ディスク１の記録面であっても、これらのマージン部分にそれぞれ当接するような構造で保護カバー２を構成しても何らディスク１の記録領域を傷つけることがなく、確実に信号の読み出しが可能である。
【００１５】
保護カバー２は、例えばポリエチレン、ポリプロピレンやポリスチレンなどの比較的に廉価な汎用のプラスチック材料を主材料として形成されるものであり、射出成形などのプラスチック成形技術を用いて量産などは可能である。保護カバー２は概ね円板状のカバー本体１０より構成され、斜めに立ち上がる形状の外周部１１と、ディスク１の記録面の内周側で当接する内周当接部１２と、３つの爪部１４を供えた環状突設部１３及び指などで押し圧するための突起部１６とを有し、また裏面側には重ね合わせのための凹部１８を有している。これらカバー本体１０、外周部１１、内周当接部１２と、環状突設部１３と、爪部１４と、突起部１６とは、樹脂で一体的に形成されている。
【００１６】
保護カバー２のカバー本体１０は、ほぼ円板状の部分であり、概ね１ｍｍの肉厚を以って形成されている。保護カバー２の外周部１１は、外側に行くほどカバー本体１０から立ち上がって肉厚が薄くされる形状とされ、当該保護カバー２をディスク１に装着した際には、外周部１１の端部１１ｔが当該保護カバー２の弾性変形による反発力でディスク１側に押し付けられるように構成されている。すなわち、図５、図６に示すように、外周部１１は先細り形状とされカバー本体１０の表面１０ｓから断面上斜めに突出するように立ち上がった形状とされており、ディスク１の非装着時で約１．３ｍｍほど立ち上がっていることからカバー本体１０の表面とディスク１との間にスペースを確保することができ、ディスク１の記録面の記録領域を保護することができる。外周部１１は先細り形状とされているため、ディスク１の装着時には細くされた端部がしなやかに曲がることによる反発力でディスク１の記録面に密着することになる。外周部１１の端部１１ｔが当接する部分は、外周部１１の位置からディスク１の最外周部分から径方向２ｍｍの幅の外周マージン部分であり、直接外周部１１の端部１１ｔが外周マージン部分に接していても信号を記録している部分には影響がなく、確実に信号の読み出しが可能である。
【００１７】
保護カバー２にはディスク１の記録面の記録領域を挟んで外周部１１に対向する内周マージン部分に内周当接部１２が形成されている。内周当接部１２はカバー本体１０の表面１０ｓから断面略半球状に隆起した環状の突条部であり、より詳しくは内周当接部１２の外周側で傾斜がなだらかとされ、内周当接部１２の内周側で傾斜が円弧に近いものとされている。内周当接部１２のカバー本体１０の表面１０ｓから突出した高さは概ね１ｍｍであり、ディスク１の装着時には該装着時に当接して曲げられた外周部１１の端部１１ｔの高さと同じ程度の高さとなる。内周当接部１２の外周側で傾斜がなだらかとされることから、ディスク１の記録領域の周辺では、外周部１１の端部１１ｔとカバー本体１０及び内周当接部１２が断面アーチ状に配列されることになり、この領域における弾性変形に対する反発力を高めることができる。
【００１８】
環状突設部１３は、カバー本体１０の表面１０ｓから円筒状に立設されてディスク１の装着時にディスク１の孔４の内壁に嵌合する部材であり、周方向の３箇所に切欠き部１９が形成され、その各切欠き１９に爪部１４が設けられている。この環状突設部１３に対してディスク１の孔４を合わせることで、ディスク１と保護カバー２の中心を合わせることができる。環状突設部１３の高さは、カバー本体１０の表面１０ｓから例えば１ｍｍ程度の傾斜部分がベベル状に設けられ、そこから約２ｍｍ程度垂直に立ち上がるように構成されている。環状突設部１３の中心には突起部１６が設けられており、保護カバー２に装着されているディスク１を外す場合には、その突起部１６を人指し指などで押し込むことでディスク１の外周を他の指、例えば親指や薬指、子指で保持したまま容易に保護カバー２をディスク１から外すことができる。環状突設部１３の上端部には内側が高く外側が低くなるようなテーパー部１３ｔが設けられており、後述するような凹部１８のテーパー部１７との協働作用により、保護カバー２に装着されているディスク１を積層する場合に、ディスク１の中心の位置決めを図ることができる。
【００１９】
環状突設部１３には、周囲３箇所で当該カバー本体１０を貫通する切欠き部１９が形成され、その切欠き部１９の中心には爪部１４が形成されている。爪部１４はディスク１の孔４の内壁に当接すると共に、ディスク１が保護カバー２に装着された状態で、爪部１４の先端側が弾性変形して係合するような構造とされ、このため爪部１４の弾性変形による反発力で爪部１４の係合部２２がディスク１の孔４の内壁に押し付けられて、該ディスク１を保護カバー２に固定するように構成されている。図７、図８は爪部１４を拡大して示す図であり、爪部１４はカバー本体１０から水平に延長されたベース部２３から略Ｌ字状に曲げられた形状を有しており、爪部１４の上端部２１にはディスク１の案内を容易とするためのテーパー部２１ｔが設けられる。爪部１４のベース部２３上にややオーバーハングする形状の係合部２２が形成され、この係合部２２は、ディスク１を保護カバー２に固定する際には、ディスク１の孔４の内壁にそれぞれ全部で３箇所で押し付けられてディスク１を固定する。この係合部２２の反対側には、環状突設部１３の内側面と切欠き部１９を除いてほぼ同心円上に配設された内壁部２４が位置し、内壁部２４の下部には、後述する凹部１８のテーパー部１７と共通する位置にテーパー部２５が形成されている。
【００２０】
このような形状を有する爪部１４に対してディスク１を装着する際には、環状突設部１３の軸方向に沿ってディスク１を押し下げる。すると、ディスク１の孔４の内壁から、ややオーバーハングした形状の爪部１４の係合部２２を内側に押すように力が加わり、この力によって爪部１４全体が内側に弾性変形する。この弾性変形によって係合部２２はディスク１の孔４の内壁を押圧し続けることになり、環状突設部１３の外周部分の摩擦と共に、ディスク１を保護カバー２に確実に固定することになる。ディスク１を外す場合には、係合部２２からの押圧力に抗してディスク１を環状突設部１３に沿って抜き取るように移動させれば良いが、前述のように突起部１６を人指し指などで押し込むことでディスク１の外周を他の指、例えば親指や薬指、子指で保持したまま容易に保護カバー２をディスク１から外すことができる。
【００２１】
保護カバー２の裏面側には、他の保護カバーを積層した場合に該他の保護カバーの環状突設部１３の端部を収納する凹部１８が形成されている。すなわち、ディスク１を保護カバー２に装着した状態で、環状突設部１３の上端は０．５〜１．０ｍｍ程度ディスク１の上面から突出されており、その突出した部分を収納する形で凹部１８が形成され、この凹部１８に環状突設部１３の上端を収納するように保護カバー２に保護されて積層することができる。図９はディスク１を保護カバー２に装着した状態のものを積層したところを示す斜視図である。凹部１８に環状突設部１３の上端を収納するように保護カバー２に保護されたディスク１を複数枚積層した場合には、環状突設部１３のテーパー部１３ｔを有する上端が凹部１８の周端のテーパー部１７に導かれて、中心軸が同心となるように位置決めされて行くことから比較的に容易に積層することができる。さらに複数のディスク１の間に隙間は、カバー本体１０の厚みに過ぎないことから、積層させても容積を必要とせず、従来の開閉する蓋を要したケースなどに比べて格段の省スペース化が実現される。また、保護カバー２の裏面には、所要の印刷やシールの貼り付け、文字やマークなどのエンボスなどを施し、当該保護カバー２自体を販売促進用のアイテムとして利用させることができる。
【００２２】
以上のような構造を有する本実施形態の保護カバー２は、まず、利用者が手でディスク１を保護カバー２に装着した状態のものを掴んだ場合には、図２に示すように、片手８でディスク１を掴むことができ、特に親指８１や他の薬指８２、小指８３などで簡単に保護カバー２に装着されたディスク１を把持できる。この段階で、保護カバー２はディスク１の外周からはみ出ているところがなく、取扱が容易である。
【００２３】
また、保護カバー２をディスク１から外す場合にも、片手で操作することでディスク１を保護カバー２から取り外すことができる。すなわち、図２とは逆の面から、親指８１や他の薬指８２、小指８３などでディスク１の外周部分を把持し、余った中指や人差し指で保護カバー２の中央の突起部１６を押す。すると、環状突設部１３の軸方向に沿ってディスク１が相対的に保護カバー２から持ち上がり、前述の爪部１４の係合部２２の押圧力に抗してディスク１を保護カバー２から外すことで、ディスク１と保護カバー２が分離されることになる。このようなディスク１と保護カバー２の分離作業は、本発明においては、片手で操作できるものであり、保護カバー２の取扱の利便性に優れていることが分かる。
【００２４】
また、図９に示すように、凹部１８に環状突設部１３の上端を収納するように保護カバー２に保護されたディスク１を複数枚積層した場合には、環状突設部１３のテーパー部１３ｔを有する上端が凹部１８の周端のテーパー部１７に導かれて、中心軸が同心となるように位置決めされて行くことから、比較的に容易にディスク１を積層することができる。さらに複数のディスク１の間に隙間は、カバー本体１０の厚みに過ぎないことから、積層させても容積を必要とせず、従来の開閉する蓋を要したケースなどに比べて格段の省スペース化が実現される。
【００２５】
なお、本実施形態では、主に１２０ｍｍのディスク状記録媒体に対する保護カバーを寸法を挙げながら説明したが、他のサイズのディスク状記録媒体に対しても本発明の保護カバーは有効であり、そのサイズを適合させることで、同様の作用効果を発揮しうる。また、ディスク１を固定させる手段として、本実施形態では爪部１４を３箇所に設けるものとして説明したが、ディスクを保護カバーに固定する手段としては他の構造のものを用いることも可能である。また、本実施形態では、保護カバーの片面にディスク状記録媒体を装着するものとして説明したが、保護カバーの裏面同士を貼り合わせたり、カバー本体を共通化させたりすることで、保護カバーの両面にディスクを保持するような構造のディスク状記録媒体の保護カバーも実現可能である。
【符号の説明】
【００２６】
１  ディスク
２  保護カバー
３  印刷面
４  孔
５  最外周部
８  手
１０  カバー本体
１１  外周部
１１ｔ  端部
１２  内周当接部
１３  環状突設部
１４  爪部
１６  突起部
１７  テーパー部
１８  凹部
１９  切欠き部
２１  上端部
２１ｔ  テーパー部
２２  係合部
２３  ベース部
２４  内壁部
２５  テーパー部
８１  親指
８２  薬指
８３  小指
【図１】
2011018448.tif 000003
【図２】
2011018448.tif 000004
【図３】
2011018448.tif 000005
【図４】
2011018448.tif 000006
【図５】
2011018448.tif 000007
【図６】
2011018448.tif 000008
【図７】
2011018448.tif 000009
【図８】
2011018448.tif 000010
【図９】
2011018448.tif 000011